(57)【要約】【課題】  主扉を切り欠いて防火扉保持装置を取り付けるため煙が扉内部へ進入したり、扉の連結を解除する部材が戸枠に使用される気密性ゴムに当るため扉と解除部材の間隙が生じたり、煙が避難場所側へ漏れ出したりして煙に含まれる有害物質が避難する人々に悪影響を与えていた。【解決手段】  フレーム７０の上部に突出した解除レバー２１の動きを伝達レバー３０に伝え、前記伝達レバー３０の動きによって係合軸３３１を掛止レバー５１の係合部５２から脱出させ、前記掛止レバー５１の回転を許すことにより、掛止部３５からのブラケット７５の離脱を可能にするように構成され、前記フレーム７０の裏面部７３１より外部に突出した部分が存在しないことを特徴とする防火扉保持装置を提供する。【選択図】  図１
2005113440.tif 000002
【特許請求の範囲】
【請求項１】
戸枠にヒンジクローザを介して取付けられた主扉と、前記主扉にヒンジクローザを介して取付けられた従扉と、戸袋内に設置されて火災の検知により前記従扉の繋止を解除する電磁レリーズと、前記主扉と前記従扉からなる二つ折りの折りたたみ防火扉であって、前記従扉に取付けられるブラケットと、前記主扉に取付けられて前記従扉を掛止する扉保持体と、戸枠に取付けられる扉止め部材とから構成される防火扉保持装置において、
防火扉保持装置（１０）は、扉保持体（２０）とブラケット（７５）と扉止め部材（８０）とで構成され、扉保持体（２０）は、解除レバー（２１）と伝達レバー（３０）と係合軸（３３１）と掛止レバー（５１）と遊嵌レバー（６１）とフレーム（７０）とで構成され、
前記解除レバー（２１）には、傾斜辺（２２１）と直線辺（２２２）とを有する解除部（２２）と押部（２３）と第１軸穴（２４）とが形成され、前記解除レバー（２１）は第１ばね（２７）によって付勢され第１軸（２４１）によって軸支され、
前記伝達レバー（３０）は、連動板（３１）と従連動板（４１）とからなり、前記連動板（３１）と前記従連動板（４１）とを第１固定軸（３８１）と第２固定軸（３９１）でＨ形状に軸止し、前記連動板（３１）には押し辺（３２１）と軸長穴（３３）と第２軸穴（３４）とが形成され、前記従連動板（４１）には従軸長穴（４３）と従第２軸穴（４４）とが形成され、前記伝達レバー（３０）は第２ばね（３７）によって付勢され第２軸（３４１）によって軸支され、
前記係合軸（３３１）は、前記軸長穴（３３）と前記従軸長穴（４３）に掛架された回転間座（３３３）に挿通され、
前記掛止レバー（５１）には、掛止部（５５）と遊挿突起部（５３）と係合部（５２）と第３軸穴（５４）とが形成され、前記掛止レバー（５１）は、第３ばね（５７）によって付勢され第３軸（５４１）に軸支され、
前記遊嵌レバー（６１）には、突起部（６３）と当り部（６２）と従第１軸穴（６４）とが形成され、前記遊嵌レバー（６１）は、第４ばね（６７）によって付勢され前記第１軸（２４１）に軸支され、
フレーム（７０）は、右側面部（７０１）及び左側面部（７１１）に形成された固定穴に前記第１軸（２４１）、第２軸（３４１）及び第３軸（５４１）を取り付け、前記右側面部（７０１）及び前記左側面部（７１１）に形成された右長穴（７０４）及び左長穴（７１４）に前記係合軸（３３１）を軸架させ、
ブラケット（７５）には、掛止穴（７６）が形成され、
扉止め部材（８０）には、案内部（８０１）と凹部（８０２）とが形成されて、
前記解除レバー（２１）の動きを伝達レバー（３０）に伝え、前記伝達レバー（３０）の動きによって前記係合軸（３３１）を前記掛止レバー（５１）の前記係合部（５２）から脱出させ、前記掛止レバー（５１）の回転を許すことにより、前記掛止部（５５）からのブラケット（７５）の離脱を可能にするように構成されていることを特徴とする防火扉保持装置。
【請求項２】
前記フレーム（７０）の裏面部（７３１）より外部に突出した部分が存在しないことを特徴とする請求項１記載の防火扉保持装置。
【請求項３】
前記第１軸（２４１）の周りに時計回り及び反時計回りの回転を可能にした前記解除レバー（２１）を具備したことを特徴とする請求項１または請求項２記載の防火扉保持装置。
【請求項４】
前記解除レバー（２１）に形成された押部（２３）による前記連動板（３１）を押す動作のみによって掛止穴（７６）からのブラケット（７５）の分離を可能としたことを特徴とする請求項１、請求項２または請求項３記載の防火扉保持装置。
【請求項５】
３つ折りの折りたたみ防火扉に２組の扉保持体２０、ブラケット７５及び扉止め部材８０を使用したことを特徴とする請求項１、請求項２、請求項３または請求項４記載の防火扉保持装置。
【発明の詳細な説明】
【技術分野】
【０００１】
本発明は、火災発生時に使用する二つ折り防火扉の第１扉と第２扉との結合及び分離ならびに第１扉の戸枠への係着を行うための防火扉保持装置に関するものである。
【背景技術】
【０００２】
従来の防火扉保持装置には、図９に示されるように、当接部材５０が上枠側面Ｆ１に当接すると揺動アーム４１に設けられた係合保持ロッド５２とラッチレバー２０に形成されている嵌合凹部２０ｂとの嵌合が解除されるから、ラッチレバー２０に形成されている係合爪２０ａから第２扉体Ｂに取付けられているブラケット７０が離脱可能になるために第２扉体Ｂの第１扉体Ａへの結合及び分離が自由になり、さらにラッチレバー２０に形成されている押込みレバー６０の回転に呼応して扉固定レバー３０に形成されている扉係合突起３０ａが戸当り枠Ｆに取付けられた扉固定凹部Ｈに第１扉体Ａを係合させる折りたたみ扉のロック装置がある（例えば、特許文献１参照。）。
【０００３】
また、図１０に示されるように、ラッチレバー３４に形成されている解除突起３４ｂが通路天井４８に取付けられている係合・解除部材３２のフランジ部分に当接し、ラッチレバー３４を回転させて係止爪３４ａと第２の扉半体５に取付けられた係合部材３０との係合を解除し、さらに係合・解除レバーが３５に設けられた係合爪４１が係合・解除部材３２の係止凹部３２ａに係合して第１の扉半体１を通路天井４８に係合させ、ボルト４３により係合爪４１の傾きを調整し第１の扉半体１を通路天井４８に対する固定の保持力の調整を可能とする二つ折り扉のロック装置がある（例えば、特許文献２参照。）。
【０００４】
【特許文献１】特開２００３−１２０１０９号公報（第１２欄第３３行乃至第４０行及び第１４欄第４１行乃至第４７行、第１４頁図８（ｂ））
【特許文献２】実公平０２−０４６６１５号公報（第９欄第１５行乃至第２５行及び第１０頁第１０図、第９欄第２８行乃至第３３行及び第８頁第８図、第１０欄第３２行乃至第４１行、第９頁第7図（ａ）及び第7図（ｂ））
【発明の開示】
【発明が解決しようとする課題】
【０００５】
しかしながら、従来の防火扉保持装置である特許文献１においては、ブラケットの係合を解除する働きをもたらす当接部材が扉平面と平行に位置する当接部である戸枠の上枠側面に当接することによって動作するように構成されていることから、主扉である第１扉体にフレームの裏面側に突出している当接部材を持つ係合保持機構を取り付けるために第１扉体を切り欠き当接部材を第１扉体から突出させる必要がある。したがって、火災時において前述の第１扉体の切り欠き部分から扉内部に煙が進入して扉内部に充満し扉の他の隙間や開口部分から避難場所側へ漏れ出し、煙に含まれる有害物質が避難する人々に悪影響を与えること、戸枠の周辺部に設置され扉との間隙に挟み込むシリコンゴム等の気密性ゴムの硬さが柔らかい或は当接部材を付勢しているばねの力が弱いと当接部材の押し込みが不足して第２扉体の分離が行なわれないことがあること、さらには、当接部材の一部が必ず第１扉体より突出しているため戸枠に使用される気密性ゴムを押し込むから気密性ゴムと当接部材の間に隙間が生じることは避けられないことになるという問題点がある。特許文献２においては、ブラケットにあたる係合部材の係止孔とラッチレバーに形成されている係合を解除するための係止爪と解除突起がラッチレバーという１部品から形成されているために、係合部材の係止孔からラッチレバーの係止爪が退避する量はラッチレバーの通路天井への当接による解除突起の押込量に比例していることから、通路天井と主扉である第１扉半体間の間隙が設置場所毎に異なるときには確実な動作が行われないことになるという問題点がある。
【課題を解決するための手段】
【０００６】
本発明は、戸枠にヒンジクローザを介して取付けられた主扉と、前記主扉にヒンジクローザを介して取付けられた従扉と、戸袋内に設置されて火災の検知により前記従扉の繋止を解除する電磁レリーズと、前記主扉と前記従扉からなる二つ折りの折りたたみ防火扉であって、前記従扉に取付けられるブラケットと、前記主扉に取付けられて前記従扉を掛止する扉保持体と、戸枠に取付けられる扉止め部材とから構成される防火扉保持装置において、
防火扉保持装置１０は、扉保持体２０とブラケット７５と扉止め部材８０とで構成され、扉保持体２０は、解除レバー２１と伝達レバー３０と係合軸３３１と掛止レバー５１と遊嵌レバー６１とフレーム７０とで構成され、
前記解除レバー２１には、傾斜辺２２１と直線辺２２２とを有する解除部２２と押部２３と第１軸穴２４とが形成され、前記解除レバー２１は第１ばね２７によって付勢され第１軸２４１によって軸支され、
前記伝達レバー３０は、連動板３１と従連動板４１とからなり、前記連動板３１と前記従連動板４１とを第１固定軸３８１と第２固定軸３９１でＨ形状に軸止し、前記連動板３１には押し辺３２１と軸長穴３３と第２軸穴３４とが形成され、前記従連動板４１には従軸長穴４３と従第２軸穴４４とが形成され、前記伝達レバー３０は第２ばね３７によって付勢され第２軸３４１によって軸支され、
前記係合軸３３１は、前記軸長穴３３と前記従軸長穴４３に掛架された回転間座３３３に挿通され、
前記掛止レバー５１には、掛止部５５と遊挿突起部５３と係合部５２と第３軸穴５４とが形成され、前記掛止レバー５１は、第３ばね５７によって付勢され第３軸５４１に軸支され、
前記遊嵌レバー６１には、突起部６３と当り部６２と従第１軸穴６４とが形成され、前記遊嵌レバー６１は、第４ばね６７によって付勢され前記第１軸２４１に軸支され、
フレーム７０は、右側面部７０１及び左側面部７１１に形成された固定穴に前記第１軸２４１、第２軸３４１及び第３軸５４１を取り付け、前記右側面部７０１及び前記左側面部７１１に形成された右長穴７０４及び左長穴７１４に前記係合軸３３１を軸架させ、
ブラケット７５には、掛止穴７６が形成され、
扉止め部材８０には、案内部８０１と凹部８０２とが形成されて、
前記解除レバー２１の動きを伝達レバー３０に伝え、前記伝達レバー３０の動きによって前記係合軸３３１を前記掛止レバー５１の前記係合部５２から脱出させ、前記掛止レバー５１の回転を許すことにより、前記掛止部５５からのブラケット７５の離脱を可能にするように構成されていることを特徴とする防火扉保持装置１０を提供することにより上記課題を解決したものである。
【０００７】
さらには、前記フレーム７０の裏面部７３１より外部に突出した部分が存在しないこと、前記第１軸２４１の周りに時計回り及び反時計回りの回転を可能にした前記解除レバー２１を具備したこと、前記解除レバー２１に形成された押部２３による前記連動板３１を押す動作のみによって掛止穴７６からのブラケット７５の分離を可能としたことを特徴とする防火扉保持装置１０を提供することにより上記課題を解決したものである。
【発明の効果】
【０００８】
本発明の防火扉保持装置１０は、フレーム７０の奥行が扉の厚みより薄いために第１扉９１には切り欠き部分がないから第１扉９１を通して扉内部に煙が進入することがなく、煙に含まれる有害物質が避難する人々に悪影響を与えることがない、解除レバー２１をフレーム７０の上方に突出させるようにしたから戸枠８２の周辺部に設置され扉との間隙に挟み込むシリコンゴム等の気密性ゴムの硬さが柔らかくても気密性ゴムに当って作用する部品がないために第２扉９２の分離が確実に行なわれる、さらには、フレーム７０の裏面部７３１から外部に突出する部材がないから戸枠８２と第１扉９１との間に隙間が生じることもないために避難方向側の領域の安全性が確保されるという効果がある。さらに、解除レバー２１は、次の能動部品である伝達レバー３０とは異なった部品であるから解除レバー２１の上部への突出量とブラケット７５の掛止部分の移動量との間に一義的な関係は存在しないことになって誤動作が起こることが少ないという効果がある。
【発明を実施するための最良の形態】
【０００９】
防火扉保持装置１０のフレーム７０は、図１、図７．１及び図７．２に示されるように、フレーム７０の奥行が扉の厚みより短いこと、フレーム７０の裏面部７３１から外部に突出する部材がないことを特徴とし、戸枠８２の上面８２１に取付けられている扉止め部材８０の案内部８０１と当接してブラケット７５の分離を促す扉保持体２０の解除レバー２１をフレーム７０の上方に突出させるようにしたことである。したがって、フレーム７０の奥行が扉の厚みより短いために第１扉９１には切り欠き部分がないから第１扉９１を通して扉内部に煙が進入することがなく、煙に含まれる有害物質が避難する人々に悪影響を与えることがない、解除レバー２１をフレーム７０の上方に突出させるようにしたから戸枠８２の周辺部に設置され扉との間隙に挟み込むシリコンゴム等の気密性ゴムの硬さが柔らかくても第２扉９２の分離が行なわれる、さらには、フレーム７０の裏面部７３１から外部に突出する部材がないから戸枠８２と第１扉９１との間に隙間が生じることもないために避難方向側の領域の安全性が確保されるという効果があることになる。
【００１０】
以下に解除レバー２１、伝達レバー３０、掛止レバー５１の動作について説明するが、これ以降の記載においては、右側面図（図１（ｂ）参照）方向から見た場合の方向に関する用語を使用する（例、右回転、左方向、反時計回り等）。
解除レバー２１は、扉保持体２０のフレーム７０から上方に突出し、扉止め部材８０によって反時計回り方向の回転を戸袋９０によって時計回り方向の回転を創出する構造であって、解除レバー２１の押部２３による接触のみで次の能動部品である伝達レバー３０を作動させる。
伝達レバー３０は、連動板３１と従連動板４１とが間隔を開けて連設されている。連動板３１には解除レバー２１の押部２３によって押される押し辺３２１と軸長穴３３があり、従連動板４１には従軸長穴４３がある。回転間座３３３を挿入した係合軸３３１が軸長穴３３と従軸長穴４３の長穴内部を動き、係合軸３３１をフレーム７０の右長穴７０４と左長穴７１４の長穴内部を移動するように構成する。上記の連動板３１と従連動板４１とが間隔を開けて連設されている構成により係合軸３３１の確実な動作を保証している。
【００１１】
解除レバー２１の回動によって係合軸３３１が長穴内部を移動すると、掛止レバー５１の係合部５２から係合軸３３１が脱出することになり、掛止レバー５１は第２ばね３７の付勢力により回転が可能となる。したがって、ブラケット７５の掛止穴７６と掛止レバー５１の掛止部５５との結合が解除され、第１扉９１から第２扉９２が解放されて閉扉方向へ回転する。
掛止レバー５１のもう一つの役割は、掛止レバー５１の回転に同期して遊挿突起部５３が回転して、遊嵌レバー６１の回転を許容し扉止め部材８０の凹部８０２に遊嵌レバー６１の突起部６３を遊挿し、第１扉９１を戸枠８２に係止させる構成を有していることである。したがって、解除レバー２１は、次の能動部品である伝達レバー３０とは異なった部品であるから解除レバー２１の上部への突出量とブラケット７５の掛止部分の移動量との間に一義的な関係は存在しないことになって誤動作が起こることが少ないという効果がある。
【実施例１】
【００１２】
本発明の防火扉保持装置１０は、図１に示されるように、扉保持体２０とブラケット７５ならびに扉止め部材８０とから構成されている。
扉保持体２０は、主に解除レバー２１と、連動板３１と、従連動板４１と、掛止レバー５１と、遊嵌レバー６１と、フレーム７０とから構成されている。
解除レバー２１は、図２（ｂ）に示されるように、材料が金属製で略Ｊ字状の板材を使用し、上部に傾斜辺２２１が形成され、傾斜辺２２１と直線辺２２２とによって解除部２２を形成する。さらに下部に角状の押部２３と切り欠いて形成された逃げ部２６が形成され、中央部に第１軸穴２４が貫設されている。伝達レバー３０は、図２（ｂ）及び図２（ｄ）に示されるように、主に連動板３１と従連動板４１と第１固定軸３８１と第２固定軸３９１とから構成されている。連動板３１は、材料が金属製で略Ｉ字状の板材を使用し、上部に直線状の押し辺３２１を有する連絡部３２が形成され、中央部に軸長穴３３と第2固定穴３９と第１固定穴３８が貫設され、さらに下部に第２軸穴３４が貫設されている。従連動板４１は、材料が金属製で略Ｉ字状の板材を使用し、上部に従軸長穴４３と従第2固定穴４９と従第１固定穴４８が貫設され、さらに下部に従第２軸穴４４が貫設されている。
【００１３】
掛止レバー５１は、図２（ｃ）に示されるように、材料が金属製の板材であって略半円部分内に３箇所の突起を有する形状である。右回転方向で考えるとすると、第１の突起は矩形状に形成された掛止部５５であり、第２の突起は略矩形状に形成され先端部に円形形状が形成された遊挿突起部５３であり、第３の突起は扇状突起部５６であり半径は前述の半円の半径よりも小さく形成されている。さらに遊挿突起部５３と扇状突起部５６との交会部分には係合部５２が形成され、前述略半円の中心部には第３軸穴５４が貫設されている。本発明においては、解除レバー２１、連動板３１、従連動板４１、掛止レバー５１は鋼板を上記形状に打ち抜いて数枚を重ね合せてリベット等でかしめて製作しているが、形状が同様であれば他の方法で製作しても良い。
遊嵌レバー６１は、図１及び図２（ｃ）に示されるように、材料が金属製の機械加工品であり、大略の形状は、直方体の上面近傍に上面と平行な軸穴を穿孔し、上面の一部分から延出して半円盤状に延設されたものを９０°左回転させた形状であり、前記半円盤状部分が突起部６３であり、前記直方体の延出部分の面に当り部６２が形成されている。さらに前述の軸穴が従第１軸穴６４である。
【００１４】
フレーム７０は、図１（ａ）及び図２に示されるように、金属製板材を溝状に折り曲げ、折り曲げた両端部をさらに外側に折り曲げた形状を有している。右側面部７０１には、右第１固定穴７０２、右第２固定穴７０３、右長穴７０４、右第３固定穴７０５、右第１支持穴７０７及び右第２支持穴７０８が穿孔され、右側面部７０１に対向する左側面部７１１には、左第１固定穴７１２、左第２固定穴７１３、左長穴７１４、左第３固定穴７１５、支持穴７１６、左第１支持穴７１７及び左第２支持穴７１８が穿孔されている。さらに右折面部７２１には長穴のボルト取付穴７２２が左折面部７２３には長穴のボルト取付穴７２４が形成されている。
ブラケット７５は、図１（ｂ）に示されるように、材質が金属製で断面がＬ字形状の平板であって、Ｌ字形の一面に角形の掛止穴７６が形成され、他の一面に長穴のボルト取付穴７８１が形成されている。
扉止め部材８０は、金属製の薄板をプレス加工して凹部８０２を形成し、凹部８０２の周りに平坦部からなる案内部８０１が形成されている。
【００１５】
本発明の防火扉保持装置１０の扉保持体２０は、下記のように組み付けられている。
まず、伝達レバー３０の組み付けは、図１、図２（ｂ）（ｄ）及び図３に示されるように、連動板３１の第１固定穴３８に第１固定軸３８１を、第２固定穴３９に第２固定軸３９１を固着し、従連動板４１の従第１固定穴４８に第１固定軸３８１を、従第２固定穴４９に第２固定軸３９１を固着して組み立てられる。
解除レバー２１と遊嵌レバー６１は、図１（ａ）、図２（ｂ）（ｃ）及び図３に示されるように、フレーム７０の左側面部７１１と解除レバー２１との間に第１ばね２７を、解除レバー２１と遊嵌レバー６１との間に位置決め用間座２４２を、遊嵌レバー６１と右側面部７０１との間に第４ばね６７を挿入しつつ、解除レバー２１の第１軸穴２４及び遊嵌レバー６１の従第１軸穴６４を使用して、第１軸２４１によって解除レバー２１及び遊嵌レバー６１を軸着し、第１軸２４１をフレーム７０左側面部７１１の左第１固定穴７１２及び右側面部７０１の右第１固定穴７０２に固着させて組付けられる。上記の組み付けにおいて、図４（ａ）（ｄ）に示されるように、反時計回りにばね付勢方向２７１を生じさせるように第１ばね２７が解除レバー２１、支持ピン２１１及び第１軸２４１に掛架され、さらに時計回りにばね付勢方向６７１を生じさせるように第４ばね６７が遊嵌レバー６１、第２支持軸６１１及び第１軸２４１に掛架されている。
【００１６】
続いて、組立てられた伝達レバー３０は、図１（ａ）及び図３に示されるように、係合軸３３１の回りに回転可能に取り付けられる回転間座３３３が伝達レバー３０の連動板３１の軸長穴３３と従連動板４１の従軸長穴４３に緩挿され連動板３１と従連動板４１の外側にＥ形止め輪３３５及びＥ形止め輪３３６によって係合軸３３１に挿着し、左側面部７１１とＥ形止め輪３３５との間に位置決め用間座３３２を、Ｅ形止め輪３３６と右側面部７０１との間に位置決め用間座３３４を挿入しつつ、係合軸３３１が左側面部７１１の左長穴７１４と右側面部７０１の右長穴７０４に緩挿される。さらに、図１（ａ）、図２（ｂ）（ｄ）及び図３に示されるように、連動板３１と従連動板４１の外側にＥ形止め輪３４６とＥ形止め輪３４７を第２軸３４１に挿着し、左側面部７１１と右側面部７０１の内側にＥ形止め輪３４５とＥ形止め輪３４８を第２軸３４１に挿着し伝達レバー３０の位置を固定しつつ、連動板３１の第２軸穴３４及び従連動板４１の従第２軸穴４４を使用して第２軸３４１をフレーム７０の左側面部７１１の左第２固定穴７１３と右側面部７０１の右第２固定穴７０３に固着させて組付けられる。上記の組み付けにおいて、図１及び図４（ｂ）に示されるように、反時計回りにばね付勢方向３７１を生じさせるように第２ばね３７が第１固定軸３８１、第２軸３４１及びフレーム７０の裏板７３１に掛架されている。ただし、第２ばね３７は第２軸３４１の連動板３１と従連動板４１の中間部分にＥ形止め輪３７５及びＥ形止め輪３７６によって位置決めされて取り付けられる。
【００１７】
掛止レバー５１は、図１（ａ）、図２（ｃ）及び図３に示されるように、左側面部７１１の内側に位置し第３軸５４１に挿着したＥ形止め輪５４５と掛止レバー５１の間に位置決め用間座５４２を、掛止レバー５１と右側面部７０１の内側に位置し第３軸５４１に挿着したＥ形止め輪５４６との間に第３ばね５７を挿入し、掛止レバー５１の位置を固定しつつ、掛止レバー５１の第３軸穴５４を使用して第３軸５４１をフレーム７０の左側面部７１１の左第３固定穴７１５と右側面部７０１の右第３固定穴７０５に軸支させて組付けられる。上記の組み付けにおいて、図１（ａ）及び図４（ｃ）に示されるように、反時計回りにばね付勢方向５７１を生じさせるように第３ばね５７が第１支持軸５１１、第３軸５４１及び掛止レバー５１に掛架されている。
【００１８】
本発明の防火扉保持装置１０におけるブラケット７５と扉保持体２０の動作について説明する。図１（ｂ）に示されるように、ブラケット７５の掛止穴７６と扉保持体２０の掛止レバー５１の掛止部５５とが掛止して第１扉９１と第２扉９２が結合している状態であって、解除レバー２１に当接する部材が存在していない状態を初期状態として考えることにする。初期状態においては、図５に示されるように、解除レバー位置J２、連動板位置R１、掛止レバー位置K１、係合軸位置ｍ１、遊嵌レバー位置Y１である。
【００１９】
解除レバー２１の動作を以下に説明するが、解除レバー２１の位置として３つの状態がある。
図５、図７．１及び図７．２に示されるように、解除レバー位置J１では、第１ばね２７による付勢方向２７１の付勢力に抗して時計回り方向の回転力が働いており、解除レバー２１と連動板３１とは接触しておらず他の扉保持体２０を構成している部材には何らの力も働かしていないから解除レバー２１以外の部材は初期状態を保っている。解除レバー位置J２では、第１ばね２７による付勢方向２７１によって解除レバー２１の押部２３が連動板３１の押し辺３２１を押して第２ばね３７による付勢方向３７１の付勢力に抗して連動板３１に時計回り方向の回転力を加えている。しかしながら、第１ばね２７の付勢力は第２ばね３７の付勢力より弱く設定されているので解除レバー２１が連動板３１を動かすことはできない。
【００２０】
解除レバー位置J３では、解除レバー２１によって第２ばね３７の反時計回り方向の付勢力以上の力が連動板３１の押し辺３２１に働くので連動板３１は強制的に時計回り方向に回転させられて連動板３１に連設されている従連動板４１も同時に回転させられるから連動板３１の軸長穴３３及び従連動板４１の軸長穴４３に回転間座３３３（図１（ａ）参照）によって回転自在に緩挿されている係合軸３３１が軸長穴３３内を移動しながらフレーム７０の右側面部７０１にある右長穴７０４及び左側面部７１１にある左長穴７１４内を右方向へ移動することになる。したがって、初期状態の連動板位置Ｒ１及び係合軸位置ｍ１から連動板位置Ｒ２及び係合軸位置ｍ２に変化する。
【００２１】
係合軸位置ｍ１から係合軸位置ｍ２に係合軸３３１が移動すると、掛止レバー５１の係合部５２から係合軸３３１が離脱し掛止レバー５１の付勢方向５７１への回転を抑止していた状態から掛止レバー５１の付勢方向５７１への回転を可能にする状態になる。すなわち、掛止レバー５１の時計回りの回転はブラケット７５の扉保持体２０への押し込みによって行われて掛止レバー位置Ｋ１となり、掛止レバー５１の付勢方向５７１による反時計回りの回転によって掛止レバー５１が第１支持軸５１１へ当接するまで回転し扉保持体２０からブラケット７５を脱出させる掛止レバー位置Ｋ２になることになる。
掛止レバー位置Ｋ１では、掛止レバー５１の遊挿突起部５３が遊嵌レバー６１の付勢方向６７１に抗して遊嵌レバー６１の当り部６２に当接させることにより遊嵌レバー位置Ｙ１を確保する。掛止レバー位置Ｋ２では、掛止レバー５１の付勢方向５７１への回転により掛止レバー５１の遊挿突起部５３が遊嵌レバー６１の当り部６２に摺接しながら回転し、掛止レバー５１の第１支持軸５１１への当接により回転が停止するまで遊嵌レバー６１の付勢方向６７１に回転して遊嵌レバー位置Ｙ２となる。
【００２２】
本発明の扉保持体２０とブラケット７５とから構成されている防火扉保持装置１０は、図６に示されるように、戸枠８２に第１ヒンジクローザ９３によって取り付けられた第１扉９１と第１扉９１に第２ヒンジクローザ９４によって取り付けられた第２扉９２から成る２つ折りの折りたたみ扉において、第１扉９１に扉保持体２０を、第２扉９２にブラケット７５を取り付けて使用する。扉位置Ｐ１、Ｐ２、Ｐ３及びＰ４における、防火扉保持装置１０の各部材の状態と働き並びに動作について、詳細に説明する。
【００２３】
１）扉位置Ｐ１のとき：
扉位置Ｐ１のときについて、図５、図６（ａ）及び図７．１（ａ）を参照して、説明する。
火災発生直前の状態であり、防火扉は戸袋９０に収納され、第２扉９２は戸袋９０壁面に設置されている電磁レリーズ９７によって係止されている。扉保持体２０の掛止レバー５１の掛止部５５とブラケット７５の掛止穴７６が掛止されて、第１扉９１と第２扉９２が結合している。戸袋９０には第２扉９２続いて第１扉９１の順に収納され、解除レバー２１の解除部２２の直線辺２２２が戸袋９０の上部板９０１に当接して、解除レバー２１の位置が解除レバー位置Ｊ１になるから、伝達レバー３０の連動板３１にはどのような力をも働かせていない。したがって、図５に示されるように、解除レバー位置Ｊ１、伝達レバー３０の連動板位置Ｒ１、掛止レバー位置Ｋ１、係合軸位置ｍ１及び遊嵌レバー位置Ｙ１となって、係合軸３３１が係合部５２に係合しているので扉保持体２０とブラケット７５との連結は保持されている。
【００２４】
２）扉位置Ｐ２のとき：
扉位置Ｐ２のときについて、図５、図６（ｂ）及び図７．１（ｂ）を参照して、説明する。
火災が発生すると火災を感知して作動した電磁レリーズ９７の第２扉９２への係止が解除され、第１ヒンジクローザ９３の働きにより防火扉が戸袋９０から送出され、その後戸枠８２に当接するまでの間、すなわち扉連結時作動範囲８４０にある時には解除レバー２１の直線辺２２２が戸袋９０の上部板９０１への当接から解放されて第１ばね２７の付勢方向２７１に回転して押部２３が連動板３１の押し辺３２１を押すが第１ばね２７の付勢力は第２ばね３７の付勢力より小さく設定されており連動板３１を回転させるまでには至らないため、第１扉９１と第２扉９２が連結した状態を保ったまま閉扉動作を継続する。したがって、図５に示されるように、解除レバー位置Ｊ２、伝達レバー３０の連動板位置Ｒ１、掛止レバー位置Ｋ１、係合軸位置ｍ１及び遊嵌レバー位置Ｙ１となって、係合軸３３１が係合部５２に係合しているので扉保持体２０とブラケット７５との連結は保持されている。
【００２５】
３）扉位置Ｐ３のとき：
扉位置Ｐ３のときについて、図５、図６（ｃ）及び図７．２（ｃ）を参照して、説明する。
第１扉９１と第２扉９２が連結した状態を保ち第１扉９１が戸枠８２に設置されている扉止め部材８０の案内部８０１に解除レバー２１の傾斜辺２２１が当接すると、解除レバー２１には反時計回り方向の回転力が働き解除レバー２１は反時計回り方向に回転し、解除レバー２１の押部２３が連動板３１の押し辺３２１を右方向に強制的に押すと連動板３１は第２軸３４１を中心に時計方向に回転し伝達レバー３０の軸長穴３３と従軸長穴４３に緩挿されている回転間座３３３が掛止レバー５１の係合部５２から脱出し、掛止レバー５１に働く力は掛止レバー５１への第３ばね５７の付勢方向５７１のみとなり、掛止レバー５１が反時計回り方向に回転可能になる。したがつて、図５に示されるように、解除レバー位置Ｊ３、伝達レバー３０の連動板位置Ｒ２、掛止レバー位置Ｋ１、係合軸位置ｍ２及び遊嵌レバー位置Ｙ１となって、係合軸３３１が係合部５２から分離して掛止レバー５１の反時計回り方向の回転を可能として扉保持体２０とブラケット７５との分離を保証することになる。
【００２６】
４）扉位置Ｐ４のとき：
扉位置Ｐ４のときについて、図５、図６（ｄ）及び図７．２（ｄ）を参照して、説明する。
扉位置Ｐ３において、掛止レバー５１の反時計回り方向の回転を可能として扉保持体２０とブラケット７５との分離を保証された第２扉９２は、図６（ｄ）に示されるように、第２ヒンジクローザ９４の働きにより第１扉９１の扉保持体２０からブラケット７５が分離され反時計回り方向に回転し全閉位置８５１に向う。上記の場合において、第２扉動作範囲８４１の間で第２扉９２は時計回り及び反時計回り方向の回転が可能であるから、第２扉９２が全閉位置８５１の位置にあっても、避難方向８６１に向かって第２扉９２を押すと第２扉９２は時計回り方向に回転し避難方向８６１の通路を確保して人々の避難を妨げることはない。
【００２７】
さらに、第２扉９２のブラケット７５が再び第１扉９１の扉保持体２０に連結しようとしても解除レバー２１の扉止め部材８０の案内部８０１への当接により掛止レバー５１の係合部５２から係合軸３３１が分離しているために、結合は不可能であり再び第２ヒンジクローザ９４の働きにより第２扉９２は反時計回り方向に回転し全閉位置８５１に向う。したがって、図５に示されるように、解除レバー位置Ｊ３、伝達レバー３０の連動板位置Ｒ２、掛止レバー位置Ｋ２、係合軸位置ｍ２及び遊嵌レバー位置Ｙ２となって、遊嵌レバー６１の突起部６３が戸枠８２の上面８２１に設置されている扉止め部材８０の凹部８０２に挿嵌され第１扉９１を戸枠８２に係止させることになる。
【００２８】
上述の状態で再度、第１扉９１と第２扉９２が結合しようとする扉位置Ｐ３の状態が発生しても、図５に示されるように、解除レバー位置Ｊ３、連動板位置Ｒ２及び係合軸位置ｍ２は扉位置Ｐ４と同じであるから第１扉９１と第２扉９２の結合は不可能であり、掛止レバー５１及び遊嵌レバー６１の位置は、掛止レバー位置Ｋ１及び遊嵌レバー位置Ｙ１の状態と掛止レバー位置Ｋ２及び遊嵌レバー位置Ｙ２の状態とを、扉保持体２０へのブラケット７５の挿入状態と脱出状態と対応しての変化として考えることができることになる。
【００２９】
続いて、防火扉としての役割を終えたときの、防火扉の戸袋９０内部への格納は人手を介して行われるがその方法と動作を以下に述べる。
１）扉位置Ｐ４から扉位置Ｐ３まで：
防火扉としての役割を終えた時点では、図６（ｄ）に示されるように、第２扉９２は扉位置Ｐ４の第２扉動作範囲８４１の全閉位置８５１にある。そこで人手によって第２扉９２を時計回り方向に回転させて扉位置Ｐ３にする。
２）扉位置Ｐ３から扉位置Ｐ２まで：
扉位置Ｐ３においては、図５、図７．２（ｃ）及び図７．２（ｄ）に示されるように、ブラケット７５が扉保持体２０の掛止レバーを時計回り方向に回転させて扉位置Ｐ４から扉位置Ｐ３に変化させる。したがって、解除レバー位置Ｊ３、連動板位置Ｒ２、係合軸位置ｍ２は変化せず、掛止レバー位置Ｋ２及び遊嵌レバー位置Ｙ２が掛止レバー位置Ｋ１及び遊嵌レバー位置Ｙ１に変化することになる。
【００３０】
しかしながら、第２扉９２は第２ヒンジクローザ９４によって閉扉方向に付勢力が働いて扉保持体２０からブラケット７５を脱出させようとしていること、第１扉９１と第２扉９２の結合、すなわち扉保持体２０とブラケット７５の掛合であり掛止レバー５１の係合部５２への係合軸３３１の係合によってのみ行われることから、解除レバー２１の解除レバー位置Ｊ３から解除レバー位置Ｊ２への強制的な移行が必要不可欠である。以上のことから、第２扉９２を第１扉９１に押し付けながら第１扉９１側を時計回り方向に引いて扉止め部材８０の案内部８０１と解除レバー２１との当接を強制的に解除すると第１扉９１と第２扉９２は連結することになり、図５、図６、図７．１（ｂ）及び図７．２（ｃ）に示されるように、扉位置Ｐ３から扉位置Ｐ２に変化する。したがって掛止レバー位置Ｋ１及び遊嵌レバー位置Ｙ１は変化せず、解除レバー位置Ｊ３、連動板位置Ｒ２、係合軸位置ｍ２から解除レバー位置Ｊ２、連動板位置Ｒ１、係合軸位置ｍ１に変化することになる。
【００３１】
３）扉位置Ｐ２から扉位置Ｐ１まで：
第１扉９１と第２扉９２とが結合した状態で、解除レバー２１の直線辺２２２が戸袋９０の上部板９０１に当接すると解除レバー２１が時計回り方向に回転し扉位置Ｐ２から扉位置Ｐ１に変化する。したがって連動板位置Ｒ１、掛止レバー位置Ｋ１、係合軸位置ｍ１、遊嵌レバー位置Ｙ１は変化せず、解除レバー２１だけが解除レバー位置Ｊ２から解除レバー位置Ｊ１に変化することになる。上記状態で戸袋９０に防火扉を押し込むと予め係止可能状態に復帰していた電磁レリーズ９７に第２扉９２が係止される。
以上の動作によって、防火扉は通路側壁の戸袋９０内に格納される。
【実施例２】
【００３２】
本発明の実施例２として、３つ折りの折りたたみ防火扉の第１扉９１、第２扉９２及び第３扉９２１に２組の防火扉保持装置１０を使用したときの設置方法を述べる。
戸枠８２に第１ヒンジクローザ９３によって取り付けられた第１扉９１と第１扉９１に第２ヒンジクローザ９４によって取り付けられた第２扉９２と第２扉９２に第３ヒンジクローザ９４１によって取り付けられた第３扉９２１とからなる３つ折りの折りたたみ防火扉は、図８に示されるように、１組の防火扉保持装置１０を構成する扉保持体２０が第１扉９１にブラケット７５が第３扉９２１に扉止め部材８０が戸枠８２に取り付けられ、もう１組の防火扉保持装置１０を構成する扉保持体２０が第２扉９２にブラケット７５が第３扉９２１に扉止め部材８０が戸枠８２に取り付けられている。上記のように設置された防火扉保持装置１０は、実施例１に述べたように動作して、戸枠８２に第１扉９１、第２扉９２の順に係止され第３扉９２１のみが戸枠８２への係止がなく、閉扉されると共に避難方向８６１への開扉を許して防火扉の役をなしている。
さらに４つ折りの折りたたみ扉についても同様に防火扉保持装置１０を設置することが可能である。
【図面の簡単な説明】
【００３３】
【図１】本発明に係るを構成する扉保持体２０の一部省略正面図（ａ）及び防火扉保持装置１０の一部省略右側面図（ｂ）である。
【図２】本発明に係る扉保持体２０の右側面図（ａ）、図１（ａ）におけるA−A線における一部省略断面図（ｂ）、図１（ａ）におけるＢ−Ｂ線における一部省略断面図（ｃ）及び図１（ａ）におけるＣ−Ｃ線における一部省略断面図（ｄ）である。
【図３】本発明に係る扉保持体２０の主要構成部材を示した分解説明図である。
【図４】本発明に係る防火扉保持装置１０に使用されるばねの配設状態と付勢方向を示す説明図であって、解除レバー２１と第１ばね２７に関する説明図（ａ）、連動板３１と第２ばね３７に関する説明図（ｂ）、掛止レバー５１と第３ばね５７に関する説明図（ｃ）及び遊嵌レバー６１と第４ばね６７に関する説明図（ｄ）である。
【図５】本発明に係る扉保持体２０の主要作動部材である解除レバー２１、連動板３１、掛止レバー５１及び遊嵌レバー６１の位置を示した説明図である。
【図６】本発明に係る防火扉保持装置１０を付設した防火扉の第１扉９１及び第２扉９２の状態を示す、結合した第１扉９１及び第２扉９２を戸袋９０に収納した時（ａ）、扉連結時動作範囲８４０の範囲にある時（ｂ）、結合した第１扉９１及び第２扉９２が戸枠８２に当接した時（ｃ）及び第１扉９１が戸枠に係止され第２扉９２が第２扉動作範囲８４１の範囲にある時（ｄ）の説明図である。
【図７．１】本発明に係る防火扉保持装置１０を付設した防火扉の図６に示される扉位置Ｐ１、Ｐ２における扉保持体２０の主要部材の作動状態とブラケット７５の結合分離状態を示した一部省略説明図である。
【図７．２】本発明に係る防火扉保持装置１０を付設した防火扉の図６に示される扉位置Ｐ３、Ｐ４における扉保持体２０の主要部材の作動状態とブラケット７５の結合分離状態を示した一部省略説明図である。
【図８】本発明の実施例２に係る防火扉保持装置１０の設置状態を示した説明図である。
【００３４】
【図９】従来の折りたたみ扉のロック装置を示した説明図である。
【図１０】従来の二つ折り扉のロック装置を示した説明図である。
【符号の説明】
【００３５】
１０    防火扉保持装置
２０    扉保持体
２１    解除レバー
２１１    支持ピン
２２    解除部
２２１    傾斜辺
２２２    直線辺
２３    押部
２４    第１軸穴
２４１    第１軸
２４２    間座
２６    逃げ部
２７    第１ばね
２７１    付勢方向
３０    伝達レバー
３１    連動板
３２１    押し辺
３３    軸長穴
３３１    係合軸
３３２    間座
３３３    回転間座
３３４    間座
３３５    E形止め輪
３３６    E形止め輪
３４    第2軸穴
３４１    第２軸
３４５    E形止め輪
３４６    E形止め輪
３４７    E形止め輪
３４８    E形止め輪
３７    第2ばね
３７１    付勢方向
３７５    E形止め輪
３７６    E形止め輪
３８    第１固定穴
３８１    第１固定軸
３９    第2固定穴
３９１    第2固定軸
４１    従連動板
４３    従軸長穴
４４    従第2軸穴
４８    従第１固定穴
４９    従第2固定穴
５１    掛止レバー
５１１    第１支持軸
５２    係合部
５３    遊挿突起部
５３１    停止ピン
５４    第３軸穴
５４１    第３軸
５４２    間座
５４５    E形止め輪
５４６    E形止め輪
５５    掛止部
５６    扇状突起部
５７    第3ばね
５７１    付勢方向
６１    遊嵌レバー
６１１    第２支持軸
６２    当り部
６３    突起部
６４    従第１軸穴
６７    第４ばね
６７１    付勢方向
【００３６】
７０    フレーム
７０１    右側面部
７０２    右第１固定穴
７０３    右第２固定穴
７０４    右長穴
７０５    右第３固定穴
７０７    右第１支持穴
７０８    右第２支持穴
７１１    左側面部
７１２    左第１固定穴
７１３    左第２固定穴
７１４    左長穴
７１５    左第３固定穴
７１６    支持穴
７１７    左第１支持穴
７１８    左第２支持穴
７２１    右折面部
７２２    取付穴
７２３    左折面部
７２４    取付穴
７３１    裏面部
７５    ブラケット
７６    掛止穴
７８１    取付穴
８０    扉止め部材
８０１    案内部
８０２    凹部
８２    戸枠
８２１    上面
８２２    戸当り
８４０    扉連結時動作範囲
８４１    第2扉動作範囲
８５１    全閉位置
８６１    避難方向
９０    戸袋
９０１    上部板
９１    第１扉
９２    第２扉
９２１    第３扉
９３    第１ヒンジクローザ
９４    第２ヒンジクローザ
９４１    第３ヒンジクローザ
９７    電磁レリーズ
Ｊ１、Ｊ２、Ｊ３    解除レバー位置
Ｋ１、Ｋ２    掛止レバー位置
ｍ１、ｍ２    係合軸位置
Ｐ１、Ｐ２、Ｐ３、Ｐ４    扉位置
Ｒ１、Ｒ２    連動板位置
Ｙ１、Ｙ２    遊嵌レバー位置
【図１】
2005113440.tif 000003
【図２】
2005113440.tif 000004
【図３】
2005113440.tif 000005
【図４】
2005113440.tif 000006
【図５】
2005113440.tif 000007
【図６】
2005113440.tif 000008
【図７．１】
2005113440.tif 000009
【図７．２】
2005113440.tif 000010
【図８】
2005113440.tif 000011
【図９】
2005113440.tif 000012
【図１０】
2005113440.tif 000013